(57)【要約】【課題】嵌合した相手方コネクタと確実にロックされ、相手方コネクタとの嵌合が確実に維持され、信頼性が高くなるようにする。【解決手段】コネクタ本体と、該コネクタ本体に装填される端子と、前記コネクタ本体に装填されるロック装置５０とを備え、前記コネクタ本体は、長手方向両端に形成された嵌合ガイド部であって、相手方コネクタの相手方コネクタ本体の長手方向両端に形成された相手方嵌合ガイド部と嵌合する嵌合ガイド部を含み、前記ロック装置５０は、前記嵌合ガイド部の各々に、前記コネクタ本体の長手方向にスライド可能に、取付けられたスライダを含み、該スライダの各々は左右一対のロック突起を含み、前記コネクタ本体が相手方コネクタ本体と嵌合すると、前記ロック突起の各々が相手方コネクタ本体に装填された相手方補強金具を係止する。【選択図】図１
2019003918.tif 000002
【特許請求の範囲】
【請求項１】
（ａ）コネクタ本体と、該コネクタ本体に装填される端子と、前記コネクタ本体に装填されるロック装置とを備え、
（ｂ）前記コネクタ本体は、長手方向両端に形成された嵌合ガイド部であって、相手方コネクタの相手方コネクタ本体の長手方向両端に形成された相手方嵌合ガイド部と嵌合する嵌合ガイド部を含み、
（ｃ）前記ロック装置は、前記嵌合ガイド部の各々に、前記コネクタ本体の長手方向にスライド可能に、取付けられたスライダを含み、
（ｄ）該スライダの各々は左右一対のロック突起を含み、
（ｅ）前記コネクタ本体が相手方コネクタ本体と嵌合すると、前記ロック突起の各々が相手方コネクタ本体に装填された相手方補強金具を係止することを特徴とするコネクタ。
【請求項２】
前記ロック装置は、前記コネクタ本体に装填される補強金具と、前記スライダを付勢する付勢部材とを更に含み、
前記補強金具は、前記嵌合ガイド部に取付けられたスライダの外側の少なくとも一部を覆い、
前記付勢部材は、前記ロック突起が相手方補強金具を係止する方向にスライダを付勢する請求項１に記載のコネクタ。
【請求項３】
前記嵌合ガイド部は、前記コネクタ本体の長手方向に延在するスライダ保持部であって、前記付勢部材を収容する付勢部材収容部が形成されたスライダ保持部を含み、
前記スライダは、前記スライダ保持部の上面上にスライド可能に位置する平板状の本体部と、該本体部の前端に接続され、前記付勢部材収容部内に進入して付勢部材の一端に当接する付勢受部とを更に含み、
前記ロック突起の各々は、前記本体部の左右両端にそれぞれ接続され、前記スライダ保持部の両側の壁部材の外側面に対向する請求項２に記載のコネクタ。
【請求項４】
前記補強金具は、前記スライダの本体部の上面上に前記本体部に対して相対的にスライド可能に位置する平板状の第１本体部と、該第１本体部の左右両端にそれぞれ接続され、前記ロック突起の外側面の少なくとも一部を覆う左右一対の前側脚部と、前記第１本体部の後端に接続され、前記嵌合ガイド部に嵌合される後側脚部とを含む請求項３に記載のコネクタ。
【請求項５】
前記ロック突起の各々は、前記前側脚部の外側面より外方に突出する突片を含む請求項４に記載のコネクタ。
【請求項６】
前記補強金具は、前記前側脚部の前端に基端が接続された左右一対の接続腕部を更に含み、該接続腕部の自由端には、前記相手方補強金具と接触する接触腕部が接続され、前記接続腕部の自由端よりも基端寄りの位置には、前記コネクタ本体が相手方コネクタ本体と嵌合するとき、前記相手方嵌合ガイド部をガイドする側方ガイド部が接続されている請求項４に記載のコネクタ。
【請求項７】
請求項１〜６のいずれか１項に記載のコネクタと、該コネクタの嵌合ガイド部と嵌合する相手方嵌合ガイド部が長手方向両端に形成され、相手方補強金具が装填された相手方コネクタ本体を備える相手方コネクタと、から成るコネクタアセンブリ。
【請求項８】
前記相手方補強金具は、前記ロック突起によって係止されるロック突起係止部を含む請求項７に記載のコネクタアセンブリ。
【発明の詳細な説明】
【技術分野】
【０００１】
本開示は、コネクタ及びコネクタアセンブリに関するものである。
【背景技術】
【０００２】
従来、一対の平行な回路基板同士を電気的に接続するために、基板対基板コネクタ等のコネクタが使用されている。このようなコネクタは、一対の回路基板における相互に対向する面の各々に取付けられ、互いに嵌合して導通するようになっている。そして、外力等を受けた場合であっても、電気的な接続状態が解除されることを防止する技術が提案されている（例えば、特許文献１参照。）。
【０００３】
図１４は従来のコネクタの部分断面図である。
【０００４】
図において、８１１は、第１回路基板８９１に実装される第１コネクタのハウジングとしての第１ハウジングであり、９１１は、第２回路基板９９１に実装される第２コネクタのハウジングとしての第２ハウジングである。前記第１ハウジング８１１には、複数の第１端子８６１が配設され、前記第２ハウジング９１１には、前記第１端子８６１と接触する複数の第２端子９６１が配設されている。
【０００５】
また、前記第１ハウジング８１１には、該第１ハウジング８１１と嵌合した第２ハウジング９１１をロックするためのロックレバー８５１が配設されている。該ロックレバー８５１はスプリング８５３を備え、第１ハウジング８１１と第２ハウジング９１１とが嵌合すると、前記スプリング８５３が伸長する力によってロックレバー８５１の先端部８５２が第２ハウジング９１１に形成された係合孔９５１に進入して係合する。これにより、第１ハウジング８１１と第２ハウジング９１１とは、外力等を受けた場合であっても嵌合が解除されることがなく、電気的な接続状態を確実に維持することができる。
【先行技術文献】
【特許文献】
【０００６】
【特許文献１】特開平０４−３６８７８３号公報
【発明の概要】
【発明が解決しようとする課題】
【０００７】
しかしながら、前記従来のコネクタにおいては、互いに係合するロックレバー８５１の先端部８５２及び係合孔９５１が第１ハウジング８１１及び第２ハウジング９１１の左右に、それぞれ、１つずつしか配設されていない。そのため、第１ハウジング８１１と第２ハウジング９１１との嵌合方向に対して斜めの方向からの外力を受けた場合、例えば、第２回路基板９９１が第１回路基板８９１に対して煽られたような場合、ロックレバー８５１の先端部８５２と係合孔９５１との係合状態が解除され、第１ハウジング８１１と第２ハウジング９１１との嵌合状態が解除されてしまうことがある。
【０００８】
ここでは、前記従来のコネクタの問題点を解決して、嵌合した相手方コネクタと確実にロックされ、相手方コネクタとの嵌合が確実に維持され、信頼性の高いコネクタ及びコネクタアセンブリを提供することを目的とする。
【課題を解決するための手段】
【０００９】
そのために、コネクタにおいては、コネクタ本体と、該コネクタ本体に装填される端子と、前記コネクタ本体に装填されるロック装置とを備え、前記コネクタ本体は、長手方向両端に形成された嵌合ガイド部であって、相手方コネクタの相手方コネクタ本体の長手方向両端に形成された相手方嵌合ガイド部と嵌合する嵌合ガイド部を含み、前記ロック装置は、前記嵌合ガイド部の各々に、前記コネクタ本体の長手方向にスライド可能に、取付けられたスライダを含み、該スライダの各々は左右一対のロック突起を含み、前記コネクタ本体が相手方コネクタ本体と嵌合すると、前記ロック突起の各々が相手方コネクタ本体に装填された相手方補強金具を係止する。
【００１０】
他のコネクタにおいては、さらに、前記ロック装置は、前記コネクタ本体に装填される補強金具と、前記スライダを付勢する付勢部材とを更に含み、前記補強金具は、前記嵌合ガイド部に取付けられたスライダの外側の少なくとも一部を覆い、前記付勢部材は、前記ロック突起が相手方補強金具を係止する方向にスライダを付勢する。
【００１１】
更に他のコネクタにおいては、さらに、前記嵌合ガイド部は、前記コネクタ本体の長手方向に延在するスライダ保持部であって、前記付勢部材を収容する付勢部材収容部が形成されたスライダ保持部を含み、前記スライダは、前記スライダ保持部の上面上にスライド可能に位置する平板状の本体部と、該本体部の前端に接続され、前記付勢部材収容部内に進入して付勢部材の一端に当接する付勢受部とを更に含み、前記ロック突起の各々は、前記本体部の左右両端にそれぞれ接続され、前記スライダ保持部の両側の壁部材の外側面に対向する。
【００１２】
更に他のコネクタにおいては、さらに、前記補強金具は、前記スライダの本体部の上面上に前記本体部に対して相対的にスライド可能に位置する平板状の第１本体部と、該第１本体部の左右両端にそれぞれ接続され、前記ロック突起の外側面の少なくとも一部を覆う左右一対の前側脚部と、前記第１本体部の後端に接続され、前記嵌合ガイド部に嵌合される後側脚部とを含む。
【００１３】
更に他のコネクタにおいては、さらに、前記ロック突起の各々は、前記前側脚部の外側面より外方に突出する突片を含む。
【００１４】
更に他のコネクタにおいては、さらに、前記補強金具は、前記前側脚部の前端に基端が接続された左右一対の接続腕部を更に含み、該接続腕部の自由端には、前記相手方補強金具と接触する接触腕部が接続され、前記接続腕部の自由端よりも基端寄りの位置には、前記コネクタ本体が相手方コネクタ本体と嵌合するとき、前記相手方嵌合ガイド部をガイドする側方ガイド部が接続されている。
【００１５】
コネクタアセンブリにおいては、コネクタと、該コネクタの嵌合ガイド部と嵌合する相手方嵌合ガイド部が長手方向両端に形成され、相手方補強金具が装填された相手方コネクタ本体を備える相手方コネクタと、から成る。
【００１６】
他のコネクタアセンブリにおいては、さらに、前記相手方補強金具は、前記ロック突起によって係止されるロック突起係止部を含む。
【発明の効果】
【００１７】
本開示によれば、コネクタは、嵌合した相手方コネクタと確実にロックされる。したがって、コネクタと相手方コネクタとの嵌合が確実に維持され、信頼性が向上する。
【図面の簡単な説明】
【００１８】
【図１】本実施の形態における第１コネクタの斜視図である。
【図２】本実施の形態における第１コネクタの分解図である。
【図３】本実施の形態における第１コネクタの二面図であって、（ａ）は上面図、（ｂ）は側面図である。
【図４】本実施の形態における第２コネクタの斜視図である。
【図５】本実施の形態における第２コネクタの分解図である。
【図６】本実施の形態におけるコネクタの嵌合前の第１コネクタと第２コネクタとの位置関係を示す斜視図である。
【図７】本実施の形態におけるコネクタの嵌合完了直前の第１コネクタ及び第２コネクタを示す斜視図である。
【図８】本実施の形態におけるコネクタの嵌合完了直前の第１コネクタ及び第２コネクタを示す上面図である。
【図９】本実施の形態におけるコネクタの嵌合完了直前の第１コネクタ及び第２コネクタを示す斜視断面図であって図８のＡ−Ａ矢視断面図である。
【図１０】本実施の形態におけるコネクタの嵌合完了直前の第１コネクタ及び第２コネクタを示す三面図であって、（ａ）は側面図、（ｂ）は（ａ）のＢ−Ｂ矢視断面図、（ｃ）は図８のＡ−Ａ矢視断面図である。
【図１１】本実施の形態におけるコネクタの嵌合工程での第１コネクタと第２コネクタとの位置関係を示す部分斜視断面図であって図９の要部に相当する位置の斜視断面図であり、（ａ）〜（ｃ）は嵌合工程における各工程を示す図である。
【図１２】本実施の形態におけるコネクタの嵌合完了後の第１コネクタ及び第２コネクタを示す斜視図である。
【図１３】本実施の形態におけるコネクタの嵌合完了後の第１コネクタ及び第２コネクタを示す三面図であって、（ａ）は側面図、（ｂ）及び（ｃ）は図１０（ｂ）及び（ｃ）と同じ断面を示す図である。
【図１４】従来のコネクタの部分断面図である。
【発明を実施するための形態】
【００１９】
以下、本実施の形態について図面を参照しながら詳細に説明する。
【００２０】
図１は本実施の形態における第１コネクタの斜視図、図２は本実施の形態における第１コネクタの分解図、図３は本実施の形態における第１コネクタの二面図である。なお、図３において、（ａ）は上面図、（ｂ）は側面図である。
【００２１】
図において、１は本実施の形態におけるコネクタであって、コネクタアセンブリである一対の基板対基板コネクタの一方としての第１コネクタである。該第１コネクタ１は、実装部材としての図示されない基板である第１基板の表面に実装される表面実装型のコネクタであって、後述される相手方コネクタとしての第２コネクタ１０１と互いに嵌合される。また、該第２コネクタ１０１は一対の基板対基板コネクタの他方であり、実装部材としての基板である後述される第２基板１９１の表面に実装される表面実装型のコネクタである。
【００２２】
なお、本実施の形態におけるコネクタアセンブリを構成する第１コネクタ１及び第２コネクタ１０１は、好適には、基板としての第１基板及び第２基板１９１を電気的に接続するために使用するものであるが、他の部材を電気的に接続するためにも使用することができる。前記第１基板及び第２基板１９１は、例えば、電子機器等に使用されるプリント回路基板、フレキシブルフラットケーブル（ＦＦＣ）、フレキシブル回路基板（ＦＰＣ）等であるが、いかなる種類の基板であってもよく、ここでは、前記第１基板がプリント回路基板であり、第２基板１９１がフレキシブルフラットケーブルであるものとして説明する。
【００２３】
また、本実施の形態において、第１コネクタ１及び第２コネクタ１０１の各部の構成及び動作を説明するために使用される上、下、左、右、前、後等の方向を示す表現は、絶対的なものでなく相対的なものであり、前記第１コネクタ１及び第２コネクタ１０１の各部が図に示される姿勢である場合に適切であるが、その姿勢が変化した場合には姿勢の変化に応じて変更して解釈されるべきものである。
【００２４】
そして、前記第１コネクタ１は、合成樹脂等の絶縁性材料によって一体的に形成されたコネクタ本体としての第１ハウジング１１を有する。該第１ハウジング１１は、図に示されるように、概略直方体である概略長方形の厚板状の形状を備え、第２コネクタ１０１が嵌入される側、すなわち、嵌合面１１ａ側（Ｚ軸正方向側）には、周囲が囲まれた概略長方形の凹部１２であって、後述される第２ハウジング１１１と嵌合する凹部１２が形成されている。前記第１コネクタ１は、例えば、縦約１１〔ｍｍ〕、横約２〔ｍｍ〕及び厚さ約１〔ｍｍ〕の寸法を備えるものであるが、寸法は適宜変更することができる。そして、前記凹部１２内には後述される凹溝部１１３と嵌合する島部としての第１凸部１３が第１ハウジング１１と一体的に形成され、また、前記第１凸部１３のＹ軸方向両側には該第１凸部１３と平行に延在する側壁部１４が第１ハウジング１１と一体的に形成されている。
【００２５】
この場合、前記第１凸部１３及び側壁部１４は、凹部１２の底面から上方（Ｚ軸正方向）に向けて突出し、第１ハウジング１１の長手方向（Ｘ軸方向）に延在する。これにより、前記第１凸部１３の両側には、凹部１２の一部として、第１ハウジング１１の長手方向に延在する細長い凹部である凹溝部１２ａが形成される。
【００２６】
ここで、前記第１凸部１３の両側の側面には凹溝状の第１端子収容内側キャビティ１５ａが形成されている。また、前記側壁部１４の内側の側面には凹溝状の第１端子収容外側キャビティ１５ｂが形成されている。そして、前記第１端子収容内側キャビティ１５ａと第１端子収容外側キャビティ１５ｂとは、凹溝部１２ａの底面において連結されて互いに一体化しているので、第１端子収容内側キャビティ１５ａと第１端子収容外側キャビティ１５ｂとを統合的に説明する場合には、第１端子収容キャビティ１５として説明する。
【００２７】
本実施の形態において、第１端子収容キャビティ１５は、第１ハウジング１１の長手方向に並んで該第１ハウジング１１の幅方向（Ｙ軸方向）両側に形成されている。具体的には、第１凸部１３の両側に、所定のピッチ（例えば、０．３５〔ｍｍ〕）で複数個ずつ形成されている。そして、第１端子収容キャビティ１５の各々に収容されて第１ハウジング１１に装填される端子としての第１端子６１も、第１凸部１３の両側に、同様のピッチで複数個ずつ配設されている。
【００２８】
前記第１端子６１は、導電性の金属板に打抜き、曲げ等の加工を施すことによって一体的に形成された部材であり、図示されない被保持部と、該被保持部の下端に接続されたテール部６２と、前記被保持部の上端に接続された上側接続部６７と、該上側接続部６７の内方端近傍に形成された第２接触部６６と、該第２接触部６６に接続された下側接続部６４と、該下側接続部６４の自由端近傍に形成された第１接触部６５とを備える。
【００２９】
そして、前記被保持部は、上下方向（Ｚ軸方向）、すなわち、第１ハウジング１１の厚さ方向に延在し、前記第１端子収容外側キャビティ１５ｂに嵌入されて保持される部分である。また、前記テール部６２は、被保持部に対して曲げて接続され、左右方向（Ｙ軸方向）、すなわち、第１ハウジング１１の幅方向の外方を向いて延出し、第１基板の導電トレースに連結された接続パッドにはんだ付等によって接続される。なお、前記導電トレースは、典型的には、信号ラインである。さらに、前記上側接続部６７は、被保持部に対して曲げて接続され、第１ハウジング１１の幅方向の内方を向いて延出する。
【００３０】
前記上側接続部６７の内方端には、下方（Ｚ軸負方向）に向けて曲げられ、かつ、第１ハウジング１１の幅方向に内方を向いて突出する湾曲した第２接触部６６が形成されている。また、前記下側接続部６４は、前記第２接触部６６の下端に接続されたＵ字状の側面形状を備える部分である。前記下側接続部６４の自由端、すなわち、前記内方の上端近傍には、Ｕ字状に曲げられ、かつ、第１ハウジング１１の幅方向に外方を向いて突出する湾曲した第１接触部６５が形成されている。
【００３１】
前記第１端子６１は、第１ハウジング１１の下面（Ｚ軸負方向面）である実装面１１ｂから、第１端子収容キャビティ１５内に嵌入され、被保持部が側壁部１４の内側の側面に形成された第１端子収容外側キャビティ１５ｂの側壁によって両側から挟持されることにより、第１ハウジング１１に固定される。この状態、すなわち、第１端子６１が第１ハウジング１１に装填された状態において、前記第１接触部６５と第２接触部６６とは、凹溝部１２ａの左右両側に位置し、互いに向合っている。
【００３２】
なお、第１端子６１は、金属板に加工を施すことによって一体的に形成された部材であるので、ある程度の弾性を備える。そして、その形状から明らかなように、互いに向合う第１接触部６５と第２接触部６６との間隔は、弾性的に変化可能である。すなわち、第１接触部６５と第２接触部６６との間に第２コネクタ１０１が備える後述される第２端子１６１が挿入されると、それにより、第１接触部６５と第２接触部６６との間隔は弾性的に伸長する。
【００３３】
また、前記第１ハウジング１１の長手方向両端には嵌合ガイド部としての第１突出端部２１が各々配設され、各第１突出端部２１には、第１コネクタ１と第２コネクタ１０１との嵌合状態をロックするためのロック装置５０が取付けられている。該ロック装置５０は、第１補強金具５１と、スライダ７１と、コイルスプリング８１とを含んでいる。なお、各第１突出端部２１には、前記凹部１２の一部として嵌合凹部２２が形成されている。該嵌合凹部２２は、略長方形の凹部であり、各凹溝部１２ａの長手方向両端に接続されている。そして、前記嵌合凹部２２内には、第１コネクタ１及び第２コネクタ１０１が嵌合された状態において、該第２コネクタ１０１が備える後述される第２突出端部１２２が挿入される。
【００３４】
さらに、前記第１突出端部２１は、側壁部１４における第１ハウジング１１の長手方向外端に接続された部分であって前記嵌合凹部２２の側壁として機能する延長側壁部２６と、第１ハウジング１１の長手方向に延在する直方体状のスライダ保持部２７と、該スライダ保持部２７における第１ハウジング１１の長手方向外側に接続された端壁部２１ａとを含んでいる。前記スライダ保持部２７は、上面（Ｚ軸正方向面）が開放された凹部である付勢部材収容部２７ａと、該付勢部材収容部２７ａのＹ軸方向両側を画定する壁部材であってＺ軸方向に延在する一対のスライダガイド側壁２７ｄと、付勢部材収容部２７ａにおける第１ハウジング１１の長手方向外側の内壁面である付勢部材受部２７ｃと、付勢部材収容部２７ａにおける第１ハウジング１１の長手方向内側の内壁面であるスライダ受部２７ｅと、該スライダ受部２７ｅから突出する付勢部材停止部２７ｂとを含んでいる。さらに、前記スライダ保持部２７における第１ハウジング１１の長手方向内側の外壁には、内端凸部２３が形成されている。また、前記端壁部２１ａは、スライダ保持部２７よりもＹ軸方向の寸法が大きな厚板状の部分であり、そのスライダガイド側壁２７ｄよりも第１ハウジング１１の幅方向の外方に突出する部分における第１ハウジング１１の長手方向内側の壁面であるスライダ後退位置決め部２１ｃと、第１補強金具５１の後側脚部５７を収容する端部収容溝２１ｂとを含んでいる。
【００３５】
そして、前記付勢部材収容部２７ａ内には、付勢部材としてのコイルスプリング８１が収容され、前記スライダ保持部２７には、第２コネクタ１０１をロックするロック機構におけるスライド金具としてのスライダ７１が、第１ハウジング１１の長手方向にスライド可能に取付けられる。
【００３６】
前記スライダ７１は、金属板に打抜き、曲げ等の加工を施すことによって一体的に形成された部材であり、Ｘ−Ｙ平面に延在する平板状の本体部７２と、該本体部７２のＹ軸方向両端に接続曲部７４ｂを介して接続された一対のロック突起７４と、前記本体部７２の前端（第１ハウジング１１の長手方向内側端）に接続された付勢受部７３と、前記ロック突起７４の後端（第１ハウジング１１の長手方向外側端）に接続された突片７５とを含んでいる。前記ロック突起７４は、尖った先端７４ｅを有するＸ−Ｚ平面に延在する平板状の部材であり、その下端（Ｚ軸負方向端）面は、Ｘ軸方向に直線的に延在するスライド面７４ｄであり、先端７４ｅ近傍の上端（Ｚ軸正方向端）面は、先端７４ｅに近付くほど下降する傾斜面７４ａである。該傾斜面７４ａのスライド面７４ｄに対する角度は、例えば、４５度であるが、任意に設定することができる。また、前記付勢受部７３は、本体部７２の前端から下方（Ｚ軸負方向）に向けて延出する平板状の部材であるが、上下方向に延在するスリット状の凹部７３ａによって第１ハウジング１１の幅方向に二分されている。さらに、前記突片７５は、ロック突起７４の後端から第１ハウジング１１の幅方向の外方に向けて延出する平板状の部材であって、オペレータ等がスライダ７１の位置を視覚によって認識可能となるスライダ視認部として機能する。また、前記本体部７２の後端７２ａも、スライダ視認部として機能する。
【００３７】
そして、スライダ７１は、付勢部材収容部２７ａ内にコイルスプリング８１が収容されたスライダ保持部２７の周囲を覆うようにして、該スライダ保持部２７に取付けられる。この際、本体部７２は、スライダ保持部２７の上面上にスライド可能に置かれ、付勢受部７３は、付勢部材収容部２７ａ内におけるコイルスプリング８１の前側（第１ハウジング１１の長手方向内側）に置かれ、これにより、前側へ向いて発揮されるコイルスプリング８１の付勢力を受けるようになる。また、コイルスプリング８１の後端は付勢部材受部２７ｃに当接する。なお、前記付勢受部７３がコイルスプリング８１の付勢力によって第１ハウジング１１の長手方向内側に変位して付勢部材収容部２７ａ内におけるスライダ受部２７ｅに当接すると、前記付勢受部７３の凹部７３ａ内に、付勢部材収容部２７ａの付勢部材停止部２７ｂが相対的に進入する。
【００３８】
また、スライダ７１がスライダ保持部２７に取付けられると、ロック突起７４の内側面がスライダガイド側壁２７ｄの外側面に対向し、スライド面７４ｄが、前記スライダガイド側壁２７ｄの下端から第１ハウジング１１の幅方向の外方に突出するスライダ下支持部２５によって下方からスライド可能に支持され、ロック突起７４の外側面の一部がスライダ外支持部２８の内側面に対向する。前記スライダ外支持部２８は、スライダ後退位置決め部２１ｃから前方（第１ハウジング１１の長手方向内側方）に向けて延出する部材であって、前記スライダ下支持部２５の後端近傍の部分における第１ハウジング１１の幅方向の外方に位置し、Ｘ−Ｚ平面における形状が略Ｌ字状の部材である。さらに、前記スライダ外支持部２８は、上方に向けて延出する凸部２８ａと、該凸部２８ａとスライダ後退位置決め部２１ｃとの間の凹部２８ｂとを含んでいる。そして、前記突片７５は前記凹部２８ｂ内の範囲においてスライド可能となる。
【００３９】
前記スライダ７１の外側の少なくとも一部は、カバー部材である補強部材としての第１補強金具５１によって覆われ、これにより、第１ハウジング１１から外れることなく保持される。前記第１補強金具５１は、導電性の金属板に打抜き、曲げ等の加工を施すことによって一体的に形成された部材であり、Ｘ−Ｙ平面に延在する平板状の第１本体部５２と、該第１本体部５２における左右両端に接続された一対の前側脚部５３と、該前側脚部５３の前端から前方に向けて延出する細長い帯状の接続腕部５４と、該接続腕部５４の上端に接続された側方ガイド部５４ａと、接続腕部５４の前端に接続された接触腕部５５と、前記第１本体部５２の前端に接続された中央ガイド部５６と、前記第１本体部５２の後端における左右両端近傍に接続された一対の後側脚部５７とを含んでいる。
【００４０】
各前側脚部５３は、第１本体部５２の側端から下方に向けて延出する平板状の部材であり、その下端は、前側基板接続部５３ａであって、第１基板の導電トレースに連結された接続パッドにはんだ付等によって接続される。なお、前記導電トレースは、電力ラインであることが望ましい。また、前記中央ガイド部５６は、第１本体部５２の前端から下方に向けて延出する平板状の部材であり、その下端中央部には、内端凸部２３を収容する凸部収容開口５６ａが形成され、該凸部収容開口５６ａが内端凸部２３と嵌合することによって、第１補強金具５１の第１突出端部２１に対する位置決めが行われる。各後側脚部５７は、第１本体部５２の後端から下方に向けて延出する平板状の部材であり、その下端は、後側基板接続部５７ａであって、第１基板の、望ましくは電力ラインである、導電トレースに連結された接続パッドにはんだ付等によって接続される。また、各後側脚部５７が端部収容溝２１ｂに嵌合されることによっても、第１補強金具５１の第１突出端部２１に対する位置決めが行われる。
【００４１】
そして、前記第１補強金具５１は、スライダ保持部２７に取付けられた状態のスライダ７１の外側の少なくとも一部を覆うようにして第１突出端部２１に取付けられ、これにより、スライダ７１をスライド可能に保持する。この際、第１本体部５２は、本体部７２の上面上に前記本体部７２に対して相対的にスライド可能となるように置かれ、凸部収容開口５６ａが内端凸部２３と嵌合し、各後側脚部５７が端部収容溝２１ｂに嵌合される。なお、前記後側脚部５７の下端である後側基板接続部５７ａは、第１ハウジング１１の実装面１１ｂより下方に突出する。また、各前側脚部５３は、ロック突起７４の外側面の少なくとも一部を覆い、延長側壁部２６における第１ハウジング１１の長手方向外側の壁面とスライダ外支持部２８の凸部２８ａとの間に形成された凹状空間である側面凹部２４内に収容される。なお、前記前側脚部５３の下端である前側基板接続部５３ａも、第１ハウジング１１の実装面１１ｂより下方に突出する。また、接続腕部５４の側方ガイド部５４ａは、延長側壁部２６のガイド部２６ａの上方及び内側面の少なくとも一部を覆い、接触腕部５５は、延長側壁部２６の腕収容凹部２６ｂの上方及び内側面の少なくとも一部を覆うようになっている。
【００４２】
前記側方ガイド部５４ａの上面は、スロープ状となっていて、第１コネクタ１と第２コネクタ１０１とが嵌合する際に、該第２コネクタ１０１の第２突出端部１２２を嵌合凹部２２内にスムーズに誘込む誘込み面として機能する。また、前記接触腕部５５は、上方に向いた上方湾曲部５５ａ、該上方湾曲部５５ａの先端に基端が接続され、嵌合凹部２２の内方を向いて膨出する接触本体部５５ｂと、該接触本体部５５ｂの先端である下端部５５ｃとを含んでいる。そして、第１コネクタ１と第２コネクタ１０１とが嵌合する際に、該第２コネクタ１０１の後述される第２補強金具１５１が上方から当接すると、接触本体部５５ｂは下方に変位し、下端部５５ｃは、第１ハウジング１１の幅方向外側へ変位するように変形することができる。
【００４３】
このようにして、第１補強金具５１が第１突出端部２１に取付けられた状態において、図３（ｂ）に示されるように、第１ハウジング１１の実装面１１ｂを基準とした上方湾曲部５５ａの上面の高さ（Ｚ軸方向の寸法）は、第１ハウジング１１の嵌合面１１ａとほぼ同じであるが、側方ガイド部５４ａの上面の高さは上方湾曲部５５ａの上面より高く、第１本体部５２の上面の高さは側方ガイド部５４ａの上面より高くなっている。そして、第１本体部５２の上面の高さが、前述した第１コネクタ１の厚さに相当し、約１〔ｍｍ〕となっている。また、図３（ａ）に示されるように、第１補強金具５１の幅方向（Ｙ軸方向）の寸法は、第１ハウジング１１の幅方向の寸法（約２〔ｍｍ〕）よりも小さく、両側の突片７５の端部間の距離は、第１ハウジング１１の幅方向の寸法とほぼ同様となっている。
【００４４】
次に、第２コネクタ１０１の構成について説明する。
【００４５】
図４は本実施の形態における第２コネクタの斜視図、図５は本実施の形態における第２コネクタの分解図である。
【００４６】
第２コネクタ１０１は、合成樹脂等の絶縁性材料によって一体的に形成された相手方コネクタ本体としての第２ハウジング１１１を有する。該第２ハウジング１１１は、図に示されるように、概略直方体である概略長方形の厚板状の形状を備える。そして、第２ハウジング１１１の第１コネクタ１に嵌入される側、すなわち、嵌合面１１１ａ側（Ｚ軸負方向側）には、第２ハウジング１１１の長手方向（Ｘ軸方向）に延在する細長い凹溝部１１３と、該凹溝部１１３の外側を画定するとともに、第２ハウジング１１１の長手方向に延在する細長い凸部としての第２凸部１１２とが一体的に形成されている。該第２凸部１１２は、凹溝部１１３の両側に沿って、かつ、第２ハウジング１１１の両側に沿って形成されている。また、各第２凸部１１２には、相手方端子としての第２端子１６１が配設されている。図に示されるように、凹溝部１１３は、第２基板１９１に実装される側、すなわち、実装面１１１ｂ側（Ｚ軸正方向側）が底部によって閉止されている。
【００４７】
前記第２端子１６１は、導電性の金属板に打抜き、曲げ等の加工を施すことによって一体的に形成された部材であり、図示されない本体部と、該本体部の下端に接続されたテール部１６２と、前記本体部の上端に接続された第１接触部１６５と、該第１接触部１６５の上端に接続された接続部１６４と、該接続部１６４の外方端に接続された第２接触部１６６とを備える。
【００４８】
そして、前記本体部は、第２ハウジング１１１に周囲を囲まれて保持される部分であり、図示されない部分である。また、前記テール部１６２は、本体部の左右方向、すなわち、第２ハウジング１１１の幅方向に延在する下端に接続され、第２ハウジング１１１の外方を向いて延出し、第２基板１９１の導電トレースに連結された接続パッドにはんだ付等によって接続される。なお、前記導電トレースは、典型的には、信号ラインである。
【００４９】
前記第２端子１６１は、オーバーモールド乃至インサート成形と称される成形方法によって第２ハウジング１１１と一体化される。すなわち、第２ハウジング１１１は、第２端子１６１をあらかじめ内部にセットした金型のキャビティ内に絶縁性材料を充填することによって成形される。これにより、第２端子１６１は、本体部が第２ハウジング１１１内に埋没し、第１接触部１６５、接続部１６４及び第２接触部１６６の表面が第２凸部１１２の各側面及び嵌合面１１１ａに露出した状態で、第２ハウジング１１１に一体的に取付けられる。なお、前記第２端子１６１は、第１コネクタ１の第１端子６１と同様のピッチで同様の数だけ左右に配設されている。
【００５０】
そして、前記第２ハウジング１１１の長手方向両端には相手方嵌合ガイド部としての第２突出端部１２２が各々配設されている。該第２突出端部１２２は、第２ハウジング１１１の幅方向（Ｙ軸方向）に延在し、両端が各第２凸部１１２の長手方向両端に接続された肉厚の部材である。そして、第２突出端部１２２は、第１コネクタ１及び第２コネクタ１０１が嵌合された状態において、前記第１コネクタ１が備える第１突出端部２１の嵌合凹部２２に挿入される挿入凸部として機能する。
【００５１】
また、前記第２突出端部１２２には、相手方補強金具としての第２補強金具１５１が取付けられる。該第２補強金具１５１は、導電性の金属板に打抜き、曲げ等の加工を施すことによって一体的に形成された部材であり、第２ハウジング１１１の幅方向に延在する第２本体部１５２と、該第２本体部１５２の左右両端に接続された側方覆部１５４と、該側方覆部１５４の一側縁に接続された接触側板部１５３と、前記第２本体部１５２の前端（第２ハウジング１１１の長手方向内側端）に接続された中央覆部１５６と、前記第２本体部１５２の後端（第２ハウジング１１１の長手方向外側端）に接続された後方覆部１５７とを含んでいる。
【００５２】
前記第２本体部１５２は、第２補強金具１５１が第２突出端部１２２に取付けられた状態において、該第２突出端部１２２の上面の大半を覆う程度の形状及び大きさに形成された部材である。前記側方覆部１５４は、第２本体部１５２の左右両端から第２ハウジング１１１の長手方向に延出し、第２凸部１１２の長手方向両端近傍の上面を覆う部材である。前記接触側板部１５３は、第２凸部１１２の長手方向両端近傍の外側の側面を覆う部材であり、その下端は、基板接続部１５３ａであって、第２基板１９１の導電トレースに連結された接続パッドにはんだ付等によって接続される。なお、前記導電トレースは、電力ラインであることが望ましい。また、前記中央覆部１５６は、第２本体部１５２の前端から下方に向けて延出する平板状の部材であり、その下端中央部には、第２突出端部１２２の内端凸部１２３を収容する凸部収容開口１５６ａが形成され、該凸部収容開口１５６ａが内端凸部１２３と嵌合することによって、第２補強金具１５１の第２突出端部１２２に対する位置決めが行われる。さらに、前記後方覆部１５７は、第２本体部１５２の後端から下方に向けて延出する平板状の部材であり、その下端中央部には、第２突出端部１２２の後端凹部１２２ｂに進入する後方凸部１５７ｂが形成され、該後方凸部１５７ｂが後端凹部１２２ｂと嵌合することによって、第２補強金具１５１の第２突出端部１２２に対する位置決めが行われる。
【００５３】
該第２突出端部１２２の左右両側面には、ロック突起収容凹部１２２ａが形成されている。該ロック突起収容凹部１２２ａは、第２突出端部１２２の後端から第２ハウジング１１１の長手方向内側に向けて延在する凹状空間であり、その幅方向外側は第２補強金具１５１の接触側板部１５３によって覆われ、その嵌合面１１１ａ側は第２補強金具１５１の側方覆部１５４によって覆われる。なお、該側方覆部１５４におけるロック突起収容凹部１２２ａを覆う部分は、該ロック突起収容凹部１２２ａに進入したロック突起７４の先端７４ｅの近傍によって係止されるロック突起係止部１５４ａとして機能する。また、該ロック突起係止部１５４ａの先端１５４ｂは、ロック突起７４の傾斜面７４ａに当接してスライドする部分である。
【００５４】
次に、前記構成の第１コネクタ１と第２コネクタ１０１とを嵌合させる動作について説明する。
【００５５】
図６は本実施の形態におけるコネクタの嵌合前の第１コネクタと第２コネクタとの位置関係を示す斜視図、図７は本実施の形態におけるコネクタの嵌合完了直前の第１コネクタ及び第２コネクタを示す斜視図、図８は本実施の形態におけるコネクタの嵌合完了直前の第１コネクタ及び第２コネクタを示す上面図、図９は本実施の形態におけるコネクタの嵌合完了直前の第１コネクタ及び第２コネクタを示す斜視断面図であって図８のＡ−Ａ矢視断面図、図１０は本実施の形態におけるコネクタの嵌合完了直前の第１コネクタ及び第２コネクタを示す三面図、図１１は本実施の形態におけるコネクタの嵌合工程での第１コネクタと第２コネクタとの位置関係を示す部分斜視断面図であって図９の要部に相当する位置の斜視断面図、図１２は本実施の形態におけるコネクタの嵌合完了後の第１コネクタ及び第２コネクタを示す斜視図、図１３は本実施の形態におけるコネクタの嵌合完了後の第１コネクタ及び第２コネクタを示す三面図である。なお、図１０において、（ａ）は側面図、（ｂ）は（ａ）のＢ−Ｂ矢視断面図、（ｃ）は図８のＡ−Ａ矢視断面図であり、図１１において、（ａ）〜（ｃ）は嵌合工程における各工程を示す図であり、図１３において、（ａ）は側面図、（ｂ）及び（ｃ）は図１０（ｂ）及び（ｃ）と同じ断面を示す図である。
【００５６】
図９〜１１においては、描画の都合上、断面のハッチングが省略されていることに留意されたい。
【００５７】
ここで、第１コネクタ１は、第１端子６１のテール部６２が図示されない第１基板の導電トレースに連結された接続パッドにはんだ付等によって接続され、第１補強金具５１の前側基板接続部５３ａ及び後側基板接続部５７ａが第１基板の導電トレースに連結された接続パッドにはんだ付等によって接続されることにより、第１基板に表面実装されているものとする。なお、前記第１端子６１のテール部６２が接続される接続パッドに連結された導電トレースは、信号ラインであり、前記第１補強金具５１の前側基板接続部５３ａ又は後側基板接続部５７ａが接続される接続パッドに連結された導電トレースは電力ラインであるものとする。
【００５８】
第２コネクタ１０１は、第２端子１６１のテール部１６２が第２基板１９１の導電トレースに連結された接続パッドにはんだ付等によって接続され、第２補強金具１５１の基板接続部１５３ａが第２基板１９１の導電トレースに連結された接続パッドにはんだ付等によって接続されることにより、第２基板１９１に表面実装されているものとする。なお、前記第２端子１６１のテール部１６２が接続される接続パッドに連結された導電トレースは、信号ラインであり、前記第２補強金具１５１の基板接続部１５３ａが接続される接続パッドに連結された導電トレースは、電力ラインであるものとする。また、第２基板１９１はフレキシブルフラットケーブルであるものとし、第２基板１９１の端部近傍における第２コネクタ１０１が実装された面と反対側の面（裏面）には、補強板１９２が貼付されているものとする。
【００５９】
まず、オペレータは、図６に示されるように、第１コネクタ１の第１ハウジング１１の嵌合面１１ａと第２コネクタ１０１の第２ハウジング１１１の嵌合面１１１ａとが向い合う状態とする。
【００６０】
続いて、オペレータは、第２コネクタ１０１の第２凸部１１２の位置が第１コネクタ１の対応する凹溝部１２ａの位置と合致し、第２コネクタ１０１の第２突出端部１２２の位置が第１コネクタ１の対応する嵌合凹部２２の位置と合致するようにした後、第１コネクタ１及び／又は第２コネクタ１０１を相手側に接近する方向、すなわち、嵌合方向（Ｚ軸方向）に移動させると、図１１（ａ）に示されるように、第２コネクタ１０１の第２凸部１１２及び第２突出端部１２２が第１コネクタ１の凹溝部１２ａ及び嵌合凹部２２内に挿入可能となる。
【００６１】
なお、第１コネクタ１と第２コネクタ１０１とが嵌合する前の状態では、コイルスプリング８１の付勢力によってスライダ７１が第１ハウジング１１の長手方向内側に向けて付勢されているので、図１１（ａ）に示されるように、ロック突起７４の先端７４ｅが嵌合凹部２２内に突出する突出量が最大となり、付勢受部７３が付勢部材収容部２７ａ内におけるスライダ受部２７ｅに当接し、突片７５は、凹部２８ｂにおける第１ハウジング１１の長手方向内側端を画定する凸部２８ａに当接している。
【００６２】
続いて、オペレータが第１コネクタ１及び／又は第２コネクタ１０１を嵌合方向に更に移動させると、図１１（ｂ）に示されるように、第２コネクタ１０１の第２凸部１１２及び第２突出端部１２２が第１コネクタ１の凹溝部１２ａ及び嵌合凹部２２内に挿入される。この際、前記第１補強金具５１の中央ガイド部５６が斜めに傾斜しているので、該中央ガイド部５６に当接した第２突出端部１２２は、前記中央ガイド部５６の傾斜に沿ってスライドし、嵌合凹部２２内にスムーズに誘込まれて挿入される。また、第２コネクタ１０１の第２補強金具１５１の側方覆部１５４におけるロック突起係止部１５４ａの先端１５４ｂは、ロック突起７４の傾斜面７４ａに当接してスライドしながら、相対的に第１ハウジング１１の実装面１１ｂに向って移動する。すると、前記ロック突起７４は、第１ハウジング１１の長手方向外側に向けた力を受けるので、付勢受部７３の付勢力に抗して、第１ハウジング１１の長手方向外側に向けて移動する。
【００６３】
そして、ロック突起係止部１５４ａの先端１５４ｂがロック突起７４の先端７４ｅに到達すると、図８〜１０に示されるように、ロック突起７４が第１ハウジング１１の長手方向外側にほぼ最大限に変位させられ、突片７５がスライダ後退位置決め部２１ｃに近接又は当接し、本体部７２の後端７２ａが第１本体部５２の後端に接近して外方から視認可能となる。また、各第１端子６１の第１接触部６５と第２接触部６６との間への第２コネクタ１０１の第２端子１６１の挿入がほぼ完了されている。
【００６４】
続いて、ロック突起係止部１５４ａの先端１５４ｂが、相対的に第１ハウジング１１の実装面１１ｂに向って更に移動してロック突起７４の先端７４ｅを通過すると、図１２及び１３に示されるように、第１コネクタ１と第２コネクタ１０１との嵌合が完了する。第１コネクタ１と第２コネクタ１０１との嵌合が完了すると、各第１端子６１の第１接触部６５と第２接触部６６との間に第２コネクタ１０１の第２端子１６１が挿入され、第１端子６１の第１接触部６５と第２端子１６１の第１接触部１６５とが接触し、第１端子６１の第２接触部６６と第２端子１６１の第２接触部１６６とが接触する。その結果、第１端子６１のテール部６２が接続された第１基板上の接続パッドに連結された導電トレースと、第２端子１６１のテール部１６２が接続された第２基板１９１上の接続パッドに連結された導電トレースとが導通する。また、第１補強金具５１の内側に第２補強金具１５１が挿入され、第１補強金具５１の左右の接触腕部５５における接触本体部５５ｂが第２補強金具１５１の左右の接触側板部１５３に接触する。その結果、第１補強金具５１の前側基板接続部５３ａ又は後側基板接続部５７ａが接続された第１基板上の接続パッドに連結された導電トレースと、第２補強金具１５１の基板接続部１５３ａが接続された第２基板１９１上の接続パッドに連結された導電トレースとが導通する。
【００６５】
さらに、第１コネクタ１と第２コネクタ１０１との嵌合が完了すると、ロック突起係止部１５４ａの先端１５４ｂとロック突起７４の傾斜面７４ａとの当接が解除されるので、付勢受部７３の付勢力によってスライダ７１が第１ハウジング１１の長手方向内側に向けて移動する。そして、図１１（ｃ）に示されるように、ロック突起７４の先端７４ｅ及びその近傍がロック突起収容凹部１２２ａ内に進入し、ロック突起係止部１５４ａを係止する。これにより、ロック突起係止部１５４ａを含む第２補強金具１５１の反嵌合方向への変位が不能となり、第１補強金具５１と第２補強金具１５１との結合状態が維持され、第１コネクタ１と第２コネクタ１０１との嵌合状態がロックされる。
【００６６】
このように、互いに嵌合した第１コネクタ１及び第２コネクタ１０１は、第１ハウジング１１の長手方向（Ｘ軸方向）両端に取付けられたスライダ７１の第１ハウジング１１の幅方向（Ｙ軸方向）両側に形成された一対のロック突起７４が、第２ハウジング１１１の長手方向（Ｘ軸方向）両端に取付けられた第２補強金具１５１の第２ハウジング１１１の幅方向（Ｙ軸方向）両側に形成された一対のロック突起係止部１５４ａに係止されることによってロックされる。したがって、スライダ７１及びロック突起係止部１５４ａの姿勢が不安定になることがない。また、スライダ７１の強度が高く、変形しにくくなっている。これにより、嵌合を解除する大きな外力を受けても、ロックが解除されて嵌合が解除されてしまうことがない。
【００６７】
また、スライダ７１を覆って保持する第１補強金具５１は、第２補強金具１５１のロック突起係止部１５４ａを係止するロック突起７４の先端７４ｅに近接した位置に存在する一対の前側脚部５３の下端である前側基板接続部５３ａが第１基板上の接続パッドに接続されることによって第１基板に接続される。さらに、一対の後側脚部５７が端部収容溝２１ｂに嵌合されるので、第１補強金具５１の第１突出端部２１に対する姿勢が安定し、かつ、後側脚部５７の下端である後側基板接続部５７ａが、前側基板接続部５３ａに加えて、第１基板上の接続パッドに接続される。したがって、嵌合を解除する大きな外力を受けても、第１補強金具５１は、第１基板との接続を確実に維持することができ、ロックが解除されて嵌合が解除されてしまうことがない。
【００６８】
さらに、一対のロック突起７４が係止される一対のロック突起係止部１５４ａは、第２補強金具１５１における側方覆部１５４と接触側板部１５３との接続部分である屈曲部に近接しているので、強度が高く、変形しにくくなっている。したがって、嵌合を解除する大きな外力を受けても、ロック突起７４とロック突起係止部１５４ａとの係止状態が解除されることがなく、ロックが解除されて嵌合が解除されてしまうことがない。
【００６９】
また、図１３（ａ）にも示されるように、第１コネクタ１と第２コネクタ１０１との嵌合が完了した状態で、第２コネクタ１０１が実装された第２基板１９１に貼付された補強板１９２の裏面のＺ軸方向の位置と、第１コネクタ１の第１補強金具５１の上面のＺ軸方向の位置とがほぼ同一になっている。
【００７０】
なお、第１コネクタ１と第２コネクタ１０１との嵌合を解除する必要がある場合、オペレータは、例えば、ピンセットのように一対の細い腕部材を有する図示されない治具を使用し、前記腕部材の先端を突片７５に係合させ、該突片７５をスライダ後退位置決め部２１ｃに向けて変位させる。すると、ロック突起７４が第１ハウジング１１の長手方向外側に変位させられ、ロック突起７４の先端７４ｅ及びその近傍がロック突起収容凹部１２２ａの外に後退し、ロック突起係止部１５４ａの係止が解除される。これにより、オペレータは、第１コネクタ１及び／又は第２コネクタ１０１を反嵌合方向に移動させて、第１コネクタ１と第２コネクタ１０１との嵌合を解除させることができる。
【００７１】
このように、本実施の形態において、第１コネクタ１は、第１ハウジング１１と、第１ハウジング１１に装填される第１端子６１と、第１ハウジング１１に装填されるロック装置５０とを備え、第１ハウジング１１は、長手方向両端に形成された第１突出端部２１であって、第２コネクタ１０１の第２ハウジング１１１の長手方向両端に形成された第２突出端部１２２と嵌合する第１突出端部２１を含み、ロック装置５０は、第１突出端部２１の各々に、第１ハウジング１１の長手方向にスライド可能に、取付けられたスライダ７１を含み、スライダ７１の各々は左右一対のロック突起７４を含み、第１ハウジング１１が第２ハウジング１１１と嵌合すると、ロック突起７４の各々が第２ハウジング１１１に装填された第２補強金具１５１を係止する。
【００７２】
これにより、スライダ７１の強度が向上し、かつ、スライダ７１の姿勢が安定するので、互いに嵌合した第１コネクタ１と第２コネクタ１０１とが確実にロックされ、第１コネクタ１と第２コネクタ１０１との嵌合状態が確実に維持され、信頼性が向上する。
【００７３】
また、ロック装置５０は、第１ハウジング１１に装填される第１補強金具５１と、スライダ７１を付勢するコイルスプリング８１とを更に含み、第１補強金具５１は、第１突出端部２１に取付けられたスライダ７１の外側の少なくとも一部を覆い、コイルスプリング８１は、ロック突起７４が第２補強金具１５１を係止する方向にスライダ７１を付勢する。したがって、スライダ７１は、第１突出端部２１に確実に取付けられた状態で、自動的にスライドして、確実に第２補強金具１５１を係止することができる。
【００７４】
さらに、第１突出端部２１は、第１ハウジング１１の長手方向に延在するスライダ保持部２７であって、コイルスプリング８１を収容する付勢部材収容部２７ａが形成されたスライダ保持部２７を含み、スライダ７１は、スライダ保持部２７の上面上にスライド可能に位置する平板状の本体部７２と、本体部７２の前端に接続され、付勢部材収容部２７ａ内に進入してコイルスプリング８１の一端に当接する付勢受部７３とを更に含み、ロック突起７４の各々は、本体部７２の左右両端にそれぞれ接続され、スライダ保持部２７の両側のスライダガイド側壁２７ｄの外側面に対向する。したがって、スライダ７１は、安定した姿勢でスムーズにスライドすることができる。
【００７５】
さらに、第１補強金具５１は、スライダ７１の本体部７２の上面上に本体部７２に対して相対的にスライド可能に位置する平板状の第１本体部５２と、第１本体部５２の左右両端にそれぞれ接続され、ロック突起７４の外側面の少なくとも一部を覆う左右一対の前側脚部５３と、第１本体部５２の後端に接続され、第１突出端部２１に嵌合される後側脚部５７とを含んでいる。したがって、第１補強金具５１がスライダ７１を確実に保持することができ、ロックが解除されて嵌合が解除されてしまうことがない。
【００７６】
さらに、ロック突起７４の各々は、前側脚部５３の外側面より外方に突出する突片７５を含んでいる。したがって、外方からでもロック突起７４の位置を視認することができ、ロック突起７４が第２補強金具１５１を係止しているか否かを確認することができる。
【００７７】
さらに、第１補強金具５１は、前側脚部５３の前端に基端が接続された左右一対の接続腕部５４を更に含み、接続腕部５４の自由端には、第２補強金具１５１と接触する接触腕部５５が接続され、接続腕部５４の自由端よりも基端寄りの位置には、第１ハウジング１１が第２ハウジング１１１と嵌合するとき、第２突出端部１２２をガイドする側方ガイド部５４ａが接続されている。したがって、嵌合作業中に第１ハウジング１１の第１突出端部２１は、第１補強金具５１によって適切に保護されるので、損傷を受けたり、破損したりしてしまうことがない。また、第１補強金具５１と第２補強金具１５１との係合状態を確実に維持することができ、第１補強金具５１と第２補強金具１５１との導通状態を確実に維持することができ、信頼性を向上させることができる。
【００７８】
なお、本開示は一例にすぎず、本開示の趣旨を保った適宜変更であって当業者が用意に想到し得るものは本開示の範囲に含まれる。図面で示す各部の幅、厚さ及び形状等は模式的に表されており、本開示の解釈を限定するものではない。
【００７９】
また、本明細書の開示は、好適で例示的な実施の形態に関する特徴を述べたものである。ここに添付された特許請求の範囲内及びその趣旨内における種々の他の実施の形態、修正及び変形は、当業者であれば、本明細書の開示を総覧することにより、当然に考え付くことである。
【産業上の利用可能性】
【００８０】
本開示は、コネクタ及びコネクタアセンブリに適用することができる。
【符号の説明】
【００８１】
１    第１コネクタ
１１、８１１    第１ハウジング
１１ａ、１１１ａ    嵌合面
１１ｂ、１１１ｂ    実装面
１２、２８ｂ、７３ａ    凹部
１２ａ、１１３    凹溝部
１３    第１凸部
１４    側壁部
１５ａ    第１端子収容内側キャビティ
１５ｂ    第１端子収容外側キャビティ
２１    第１突出端部
２１ａ    端壁部
２１ｂ    端部収容溝
２１ｃ    スライダ後退位置決め部
２２    嵌合凹部
２３、１２３    内端凸部
２４    側面凹部
２５    スライダ下支持部
２６    延長側壁部
２６ａ    ガイド部
２６ｂ    腕収容凹部
２７    スライダ保持部
２７ａ    付勢部材収容部
２７ｂ    付勢部材停止部
２７ｃ    付勢部材受部
２７ｄ    スライダガイド側壁
２７ｅ    スライダ受部
２８    スライダ外支持部
２８ａ    凸部
５０    ロック装置
５１    第１補強金具
５２    第１本体部
５３    前側脚部
５３ａ    前側基板接続部
５４    接続腕部
５４ａ    側方ガイド部
５５    接触腕部
５５ａ    上方湾曲部
５５ｂ    接触本体部
５５ｃ    下端部
５６    中央ガイド部
５６ａ、１５６ａ    凸部収容開口
５７    後側脚部
５７ａ    後側基板接続部
６１、８６１    第１端子
６２、１６２    テール部
６４    下側接続部
６５、１６５    第１接触部
６６、１６６    第２接触部
６７    上側接続部
７１    スライダ
７２    本体部
７２ａ    後端
７３    付勢受部
７４    ロック突起
７４ａ    傾斜面
７４ｂ    接続曲部
７４ｄ    スライド面
７４ｅ、１５４ｂ    先端
７５    突片
８１    コイルスプリング
１０１    第２コネクタ
１１１、９１１    第２ハウジング
１１２    第２凸部
１２２    第２突出端部
１２２ａ    ロック突起収容凹部
１２２ｂ    後端凹部
１５１    第２補強金具
１５２    第２本体部
１５３    接触側板部
１５３ａ    基板接続部
１５４    側方覆部
１５４ａ    ロック突起係止部
１５６    中央覆部
１５７    後方覆部
１５７ｂ    後方凸部
１６１、９６１    第２端子
１６４    接続部
１９１    第２基板
１９２    補強板
８５１    ロックレバー
８５２    先端部
８５３    スプリング
８９１    第１回路基板
９５１    係合孔
９９１    第２回路基板
【図１】
2019003918.tif 000003
【図２】
2019003918.tif 000004
【図３】
2019003918.tif 000005
【図４】
2019003918.tif 000006
【図５】
2019003918.tif 000007
【図６】
2019003918.tif 000008
【図７】
2019003918.tif 000009
【図８】
2019003918.tif 000010
【図９】
2019003918.tif 000011
【図１０】
2019003918.tif 000012
【図１１】
2019003918.tif 000013
【図１２】
2019003918.tif 000014
【図１３】
2019003918.tif 000015
【図１４】
2019003918.tif 000016